(57)【要約】【課題】  既存の眼鏡の構造を変更する必要がなく、極めて低コストで高い緩み止め効果を得ることのできるボルトの提供を目的とする。【解決手段】  螺旋孔３２ａに螺入される螺旋部６３を有するボルト６において、前記螺旋部６３に接着剤内包マイクロカプセルを含む被膜６５を形成した。また、軸部６２に潤滑剤内包マイクロカプセルを含む被膜６４を形成してもよい。軸部６２に嵌装される一つ又は複数のワッシャ７を有し、前記ワッシャ７の少なくとも一つに、前記潤滑剤内包マイクロカプセルを含む被膜を形成してもよい。【選択図】  図２
2009162355.tif 000002
【特許請求の範囲】
【請求項１】
螺旋孔に螺入される螺旋部を有するボルトにおいて、
前記螺旋部に接着剤内包マイクロカプセルを含む被膜を形成したことを特徴とする緩み止め機能付きボルト。
【請求項２】
螺旋孔に螺入される螺旋部と、軸孔に嵌合して回転支点となる軸部とを有するボルトにおいて、
前記螺旋部に接着剤内包マイクロカプセルを含む被膜を形成し、前記軸部に潤滑剤内包マイクロカプセルを含む被膜を形成したことを特徴とする緩み止め機能付きボルト。
【請求項３】
前記軸部に嵌装される一つ又は複数のワッシャを有し、前記ワッシャの少なくとも一つに、前記潤滑剤内包マイクロカプセルを含む被膜を形成したことを特徴とする請求項２に記載の緩み止め機能付きボルト。
【請求項４】
前記螺旋孔が眼鏡のヒンジに形成された螺旋孔で、前記螺旋部が、眼鏡のテンプルを前記ヒンジで開閉自在に支持するボルトに形成されていることを特徴とする請求項１〜３のいずれかに記載の緩み止め機能付きボルト。
【発明の詳細な説明】
【技術分野】
【０００１】
本発明は、複数の部材を締結するボルトに関し、特に、緩み止め機能を備えたボルトに関する。
【背景技術】
【０００２】
複数の部材を締結するボルトにおいては、経時的な緩みが問題となる。特に、眼鏡のヒンジのように、相対的に回転する複数の部材を締結するとともに、回転の支軸となるボルトにおいては、その問題は顕著になる。
特許文献１に記載の発明では、ヒンジ部分に形成されたリベット挿入孔に、頭部が突出するようにリベットを挿入し、前記リベットの他端から締付ねじを軸方向に延びる下孔に螺入している。
この文献に記載の連結構造によれば、締付ねじの軸部とリベットとが密着して、締付ねじとリベットとの間に大きな摩擦が作用し、締付ねじの緩みが防止される。
また、特許文献２に記載の発明では、支軸となるボルトのねじのピッチを工夫することで、緩みを防止するようにしている。
【特許文献１】特開平８−２９７３９号公報
【特許文献２】特開平０６−２４１２１９公報
【発明の開示】
【発明が解決しようとする課題】
【０００３】
しかし、上記文献に記載の発明では、連結構造を従来と異なるものにしたり、ねじ山のピッチを変更する等、従来のヒンジに対して形状や構造を大幅に変更する必要があり、既存の眼鏡に対しては適用が困難であるという問題がある。また、連結構造を変更したり、ねじ山のピッチを加工する必要があるため、眼鏡のコストも高くなるという問題がある。
本発明は、上記の問題点に鑑みてなされたもので、既存の眼鏡の構造を変更する必要がなく、極めて低コストで高い緩み止め効果を得ることのできるボルトの提供を目的とする。
【課題を解決するための手段】
【０００４】
上記の目的を達成するために、請求項１に記載の発明は、螺旋孔に螺入される螺旋部を有するボルトにおいて、前記螺旋部に接着剤内包マイクロカプセルを含む被膜を形成した構成としてある。
この構成によれば、ボルトの螺旋部に接着剤内包マイクロカプセルを含む被膜（樹脂被膜や塗膜を含む。以下、同じ）を形成しているので、ボルトを螺旋孔に螺入することで、前記マイクロカプセルが破れて接着剤が螺旋部と螺旋孔との間に供給される。そして、この接着剤が硬化することで、ボルトが緩みにくくなる。
【０００５】
請求項２に記載の発明は、螺旋孔に螺入される螺旋部と、軸孔に嵌合して回転支点となる軸部とを有するボルトにおいて、前記螺旋部に接着剤内包マイクロカプセルを含む被膜を形成し、前記軸部に潤滑剤内包マイクロカプセルを含む被膜を形成した構成としてある。
この構成によれば、接着剤が螺旋部と螺旋孔との間に介在することでボルトを緩みにくくするとともに、潤滑剤が軸部と軸孔の内周面との間に供給されることで、テンプル等の部品を回転させたときにボルトに作用する回転力が小さくなり、さらにボルトの緩み止め効果を高めることができる。
【０００６】
なお、軸部だけでは潤滑剤の量が不十分な場合には、ボルトの頭部にも前記潤滑剤内包マイクロカプセルを含む被膜を形成してもよいし、また、請求項３に記載するように、前記軸部に嵌装される一つ又は複数のワッシャの少なくとも一つに、前記潤滑剤内包マイクロカプセルを含む被膜を形成しもよい。
本発明は、緩み止めが必要なあらゆる部材の締結に適用が可能であるが、請求項４に記載するような眼鏡のヒンジ部分に適用することで、その効果が大きい。
【発明の効果】
【０００７】
本発明は、螺旋部や軸部に接着剤内包マイクロカプセル（及び潤滑剤内包マイクロカプセル）を含有する被膜を形成したボルトを準備し、このボルトを従来とおり使用するだけでよく、既存の眼鏡等の構造を変更する必要がない。そのため、極めて低コストで高い緩み止め効果を得ることができる。
【発明を実施するための最良の形態】
【０００８】
以下、本発明の好適な実施形態を、図面を参照しながら詳細に説明する。
図１は、本発明の一実施形態にかかるボルトをヒンジ部分に適用した眼鏡の概略斜視図である。
この眼鏡は、左右のレンズ２を保持するフレーム１と、このフレーム１の両端に形成された智３と、この智３にヒンジ４によって折り畳み自在かつ展開自在に取り付けられるテンプルとを有している。
【０００９】
図２は、ヒンジ４の一例を示す断面図で、（ａ）はボルト６の螺入前を、（ｂ）は螺入後を示している。
ヒンジ４は、智３の先端に上下二股に形成された上止部３１及び下止部３２と、上止部３１に貫通形成されたボルト孔３１ａと、このボルト孔３１ａと同芯状に下止部３２に貫通形成された螺旋孔３２ａと、テンプル５の先端に貫通形成された軸孔５ａと、ボルト孔３１ａ及び軸孔５ａを挿通して螺旋孔３２ａに螺入されるボルト６とから構成される。
【００１０】
ボルト６は、ボルト孔３１ａ内に収容される頭部６１と、螺旋孔３２ａに螺入される螺旋部６３と、螺旋部６３と頭部６１との間に設けられ、軸孔５ａに位置してテンプル５の回転時の軸となる軸部６２とから構成される。なお、符号７はボルト孔３１ａの底部に配置される座金（ワッシャ）であるが、この座金７は、必要がなければ特に設けなくてもよい。また、軸部６２の長さは、座金７を介在させた状態でボルト６を螺旋孔３２ａに締め込んでも、テンプル５が自在に回転できるものを予め選択する。
【００１１】
ボルト６の軸部６２には、潤滑剤内包マイクロカプセルを含有する溶剤が塗布され、螺旋部６３には、二液硬化性の接着剤の主剤を内包する主剤内包マイクロカプセルと硬化剤とを内包する硬化剤内包マイクロカプセルを含有する溶剤が塗布される。
前記した潤滑剤及び接着剤としては、マイクロカプセル化が可能なものであれば種々のものを用いることができ、その形態も、液状，ゲル状，固体又はこれらを混合したものであってもよい。また、前記潤滑剤は、例えば、塩素化パラフィン，ジベンジルサルファイド，トリクレジルホスフェート等のような塩素，イオウ，リン等の添加剤を含んでいてもよいし、このような添加剤を内包する添加剤内包マイクロカプセルを潤滑剤内包マイクロカプセルとは別に前記溶剤に混入させてもよい。
マイクロカプセルを含有する溶剤としては、有機溶媒溶液または含水エマルジョン液等の公知のものを挙げることができる。
【００１２】
図３（ａ）は、図２（ａ）のＡ部の拡大断面図である。
図３（ａ）に示すように、上記の溶剤を塗布することで、軸部６２にはマイクロカプセルに内包された状態の潤滑剤含有層６４が形成され、螺旋部６３にはマイクロカプセルに内包された状態の接着剤含有層６５が形成される。
図３（ｂ）及び（ｃ）は、潤滑剤含有層６４及び接着剤含有層６５の断面で、潤滑剤含有層６４内には、潤滑剤内包マイクロカプセル６４ａが溶剤６４ｃ内に混在している。また、接着剤含有層６５内には、主剤内包マイクロカプセル６５ａと硬化剤内包マイクロカプセル６５ｂとが溶剤６５ｃ内に混在している。
【００１３】
潤滑剤含有層６４及び接着剤含有層６５が形成されたボルト６を、軸孔５ａを挿通して螺旋部６３に螺入すると、接着剤含有層６５内の主剤内包マイクロカプセル６５ａと硬化剤内包マイクロカプセル６５ｂとが、螺旋部６３と螺旋孔３２ａとが螺合するときの摩擦によって破れて、主剤と硬化剤とが接着剤含有層６５から拡散し、螺合動作によって混合されつつ、螺旋部６３と螺旋孔３２ａとの間に拡がる。
【００１４】
また、軸部６２では、軸部６２の外周面と軸孔５ａの内周面とが接触することで、潤滑剤内包マイクロカプセル６４ａが破れて、潤滑剤含有層６４から拡散し、軸部６２の外周面と軸孔５ａの内周面との間に拡がる。なお、軸部６２の外周面と軸孔５ａの内周面との間には、通常、テンプル５の開閉をスムースにするべく、僅かな隙間が存在することから、ボルト６の螺入時に潤滑剤内包マイクロカプセル６４ａの全てが破れるわけではない。螺入時に破れなかった潤滑剤内包マイクロカプセル６４ａについては、眼鏡の使用時にテンプル５を開閉することで、時間を掛けて徐々に破断が進むことになる。そのため、長期に亘って、軸部６２の外周面と軸孔５ａの内周面との間に潤滑剤含有層６４から潤滑剤が供給されることになる。
【００１５】
上記の結果、図３（ｄ）に示すように、螺旋部６３と螺旋孔３２ａとの間に接着層６５′が形成され、軸部６２の外周面と軸孔５ａの内周面との間に潤滑層６４′が形成される。
この接着層６５′と潤滑層６４′との相乗作用によって、ボルト６の緩み止め効果を高めることができ、多数回テンプル５を開閉させても、ボルト６が容易に緩まず、高い品質を長く保つことができる。また、接着層６５′の劣化や潤滑層６４′の喪失によって緩み止め効果が低下しても、潤滑剤含有層６４及び接着剤含有層６５が形成された新たなボルト６と交換するだけで、簡単に緩み止め効果を再生することができる。
【００１６】
潤滑剤含有層６４及び接着剤含有層６５を有するボルト６の形成方法としては、種々のものを挙げることができる。ボルト６の軸部６２及び螺子部６３に、刷毛やブラシで溶剤を塗布するようにしてもよいし、図４（ａ）（ｂ）に示すように、接着剤内包マイクロカプセル溶液７１の貯留槽内にボルト６の螺子部６３を漬けて接着剤含有層６５を形成した後、ボルト６の上下を反転させて、潤滑剤内包マイクロカプセル溶液７２の貯留槽内にボルト６の頭部６１及び軸部６２を漬けて潤滑剤含有層６４を形成するようにしてもよい。
【００１７】
本発明の好適な実施形態について説明したが、本発明は上記の実施形態に限定されるものではない。
例えば、上記の説明では、螺子部と軸部とを有するボルトを例に挙げて説明したが、軸部を有しないボルトにも本発明を適用することが可能である。また、回転する部材の支軸とならないボルトについては、接着剤含有層６５を螺子部の一部又は全部に形成するようにしてもよい。
また、上記の説明では、二液硬化性の接着剤を例に挙げて説明したが、螺旋部６３と螺旋孔３２ａとの間で硬化するものであれば一液性のものでもよく、熱硬化型のものでもよい。また、透明な部材を締結する場合には、紫外線硬化型のものも使用が可能である。
【００１８】
また、潤滑剤の量を増やすために、軸部６２の近傍に位置する他の部材、例えば座金７にも潤滑剤含有層を形成するようにしてもよい。
さらに、本発明では、ボルトに潤滑剤内包マイクロカプセルを含む溶剤と接着剤内包マイクロカプセルを含む溶剤とを塗布するようにしているが、これ以外の形態として、軸孔５ａの内周面に潤滑剤内包マイクロカプセルを含む溶剤を塗布し、螺旋孔３２ａの内周面に接着剤内包マイクロカプセルを含む溶剤を塗布するようにしても、同様の作用及び効果が得られる。
【産業上の利用可能性】
【００１９】
本発明のボルトは、眼鏡用に限らず、携帯電話やその他の小型電子機器における各種部材の締結、特に、回動部材を軸支する必要のある部材に好適に使用することができる。
【図面の簡単な説明】
【００２０】
【図１】本発明の一実施形態にかかるボルトをヒンジ部分に適用した眼鏡の概略斜視図である。
【図２】ヒンジの一例を示す断面図で、（ａ）はボルト６の螺入前を、（ｂ）は螺入後を示している。
【図３】（ａ）は、図２（ａ）のＡ部の拡大断面図、（ｂ）及び（ｃ）は、潤滑剤含有層及び接着剤含有層の断面図、（ｄ）は螺旋部と螺旋孔との間に接着層が形成され、軸部の外周面と軸孔の内周面との間に潤滑剤層が形成された様子を示す断面図である。
【図４】潤滑剤含有層及び接着剤含有層が形成されたボルトの形成方法の一例を示す図である。
【符号の説明】
【００２１】
３        智
３１ａ    ボルト孔
３２ａ    螺子孔
５        テンプル
５ａ      軸孔
６        ボルト
６１      頭部
６２      軸部
６３      螺子部
６４      潤滑剤含有層
６５      接着剤含有層
【図１】
2009162355.tif 000003
【図２】
2009162355.tif 000004
【図３】
2009162355.tif 000005
【図４】
2009162355.tif 000006